(57)【要約】【課題】本発明は、画像と地図上の撮影地点との対応関係を容易かつ直感的に認識させ得る。【解決手段】画像を撮影する撮像手段によって画像を撮影したとき、当該画像に対応した撮影位置を取得し、撮像手段によって順次撮影された複数の画像を所定の記憶手段に記憶し、画像に対応した撮影位置を地図上に表すための所定の撮影場所マークを生成し、記憶手段から複数の画像を読み出して緯度順に並べて表示すると共に、複数の画像と対応した複数の撮影場所マークを地図上に表示したり、記憶手段から複数の画像を読み出して経度順に並べて表示すると共に、複数の画像と対応した複数の撮影場所マークを地図上に表示するようにする。【選択図】図１６
2010243907.tif 000002
【特許請求の範囲】
【請求項１】
画像を撮影する撮像手段と、
上記撮像手段によって上記画像を撮影したとき、当該画像に対応した撮影位置を取得する撮影位置取得手段と、
上記撮像手段によって順次撮影された複数の上記画像を所定の記憶手段に記憶する記憶制御手段と、
上記画像に対応した上記撮影位置を地図上に表すための所定の撮影場所マークを生成する撮影場所マーク生成手段と、
上記記憶手段から複数の上記画像を読み出して緯度順に並べて表示すると共に、複数の上記画像と対応した複数の上記撮影場所マークを地図上に表示する緯度順表示モードと、上記記憶手段から複数の上記画像を読み出して経度順に並べて表示すると共に、複数の上記画像と対応した複数の上記撮影場所マークを地図上に表示する経度順表示モードとを切り換える制御手段と
を具える情報処理装置。
【請求項２】
上記制御手段は、上記緯度順に表示する場合、複数の上記画像を縦に並べて表示し、上記経度順に表示する場合、複数の上記画像を横に並べて表示する
請求項１に記載の情報処理装置。
【請求項３】
上記制御手段は、複数の上記画像と、複数の上記画像と対応した複数の上記撮影場所マークとを線分で結び付けて表示する
請求項２に記載の情報処理装置。
【請求項４】
上記制御手段は、上記記憶手段から複数の上記画像を読み出して緯度順に並べて表示する際、現在位置に最も近い上記撮影位置を始点として上記緯度順に並べて表示し、上記記憶手段から複数の上記画像を読み出して経度順に並べて表示する際、上記現在位置に最も近い上記撮影位置を始点として上記経度順に並べて表示する
請求項３に記載の情報処理装置。
【請求項５】
画像を撮影する撮像手段によって上記画像を撮影したとき、所定の撮影位置取得手段により当該画像に対応した撮影位置を取得する撮影位置取得ステップと、
上記撮像手段によって順次撮影された複数の上記画像を所定の記憶制御手段により所定の記憶手段に記憶する記憶制御ステップと、
上記画像に対応した上記撮影位置を地図上に表すための所定の撮影場所マークを所定の撮影場所マーク生成手段により生成する撮影場所マーク生成ステップと、
所定の制御手段により、上記記憶手段から複数の上記画像を読み出して緯度順に並べて表示すると共に、複数の上記画像と対応した複数の上記撮影場所マークを地図上に表示する緯度順表示モードと、上記記憶手段から複数の上記画像を読み出して経度順に並べて表示すると共に、複数の上記画像と対応した複数の上記撮影場所マークを地図上に表示する経度順表示モードとを切り換える制御ステップと
を有する情報処理方法。
【請求項６】
コンピュータに対し、
画像を撮影する撮像手段によって上記画像を撮影したとき、当該画像に対応した撮影位置を取得する撮影位置取得ステップと、
上記撮像手段によって順次撮影された複数の上記画像を所定の記憶手段に記憶する記憶制御ステップと、
上記画像に対応した上記撮影位置を地図上に表すための所定の撮影場所マークを生成する撮影場所マーク生成ステップと、
上記記憶手段から複数の上記画像を読み出して緯度順に並べて表示すると共に、複数の上記画像と対応した複数の上記撮影場所マークを地図上に表示する緯度順表示モードと、上記記憶手段から複数の上記画像を読み出して経度順に並べて表示すると共に、複数の上記画像と対応した複数の上記撮影場所マークを地図上に表示する経度順表示モードとを切り換える制御ステップと
を実行させるプログラム。
【発明の詳細な説明】
【技術分野】
【０００１】
本発明は、情報処理装置、情報処理方法及びプログラムに関し、例えばデジタルビデオカメラに適用して好適なものである。
【背景技術】
【０００２】
従来、デジタルビデオカメラでは、記録メディアの大容量化に伴い、種々の撮影地点で大量の画像を撮影し、それを記録メディアに格納し管理するようになされている。
【０００３】
このときデジタルビデオカメラでは、記録メディアに格納した大量の画像をサムネイル化して一覧表示し得るようになされている。
【０００４】
また、撮影した画像の縮小画像をサムネイル化してインデックス表示すると共に地図画像を表示し、縮小画像と地図画像上の撮影地点とをリンクさせることによりユーザの検索性を向上させる画像管理装置が提案されている（例えば特許文献１）。
【先行技術文献】
【特許文献】
【０００５】
【特許文献１】特開平9-288445号公報
【発明の概要】
【発明が解決しようとする課題】
【０００６】
ところで上述した画像管理装置においては、インデックス表示された何れかの縮小画像をユーザが選択してみるまでは、その縮小画像が地図画像上の何れの撮影地点で撮影されたのかを認識することが出来ないという問題があった。
【０００７】
本発明は以上の点を考慮してなされたもので、画像と地図上の撮影場所との対応関係を容易かつ直感的に認識させ得る情報処理装置、情報処理方法及びプログラムを提案しようとするものである。
【課題を解決するための手段】
【０００８】
かかる課題を解決するため本発明では、撮像手段によって画像を撮影したとき、当該画像に対応した撮影位置を取得し、撮像手段によって順次撮影された複数の画像を所定の記憶手段に記憶し、画像に対応した撮影位置を地図上に表すための所定の撮影場所マークを生成し、記憶手段から複数の画像を読み出して緯度順に並べて表示すると共に、複数の画像と対応した複数の撮影場所マークを地図上に表示する緯度順表示モードと、記憶手段から複数の画像を読み出して経度順に並べて表示すると共に、複数の画像と対応した複数の撮影場所マークを地図上に表示する経度順表示モードとを切り換えるようにする。
【０００９】
これにより、複数の画像を読み出して緯度順に並べて表示すると共に、複数の画像と対応した複数の撮影場所マークを地図上に表示したり、複数の画像を読み出して経度順に並べて表示すると共に、複数の画像と対応した複数の撮影場所マークを地図上に表示することができるので、緯度順又は経度順に並べられた複数の画像と地図上の撮影場所マークとの対応関係をユーザに対して容易に理解させることができる。
【発明の効果】
【００１０】
本発明によれば、複数の画像を読み出して緯度順に並べて表示すると共に、複数の画像と対応した複数の撮影場所マークを地図上に表示したり、複数の画像を読み出して経度順に並べて表示すると共に、複数の画像と対応した複数の撮影場所マークを地図上に表示することができるので、緯度順又は経度順に並べられた複数の画像と地図上の撮影場所マークとの対応関係をユーザに対して容易に理解させることができ、かくして複数の画像と地図上の撮影場所との対応関係を容易かつ直感的に認識させ得る情報処理装置、情報処理方法及びプログラムを実現することができる。
【図面の簡単な説明】
【００１１】
【図１】デジタルビデオカメラの回路構成を示す略線的ブロック図である。
【図２】フォルダ構成及び画像管理データファイル構造を示す略線図である。
【図３】緯度・経度順インデックス表示処理手順を示すフローチャートである。
【図４】画像ソートテーブル生成処理手順のサブルーチンを示すフローチャートである。
【図５】画像ソートテーブルを示す略線図である。
【図６】地図画像表示処理手順のサブルーチンを示すフローチャートである。
【図７】緯度順のマップビュー画面を生成するためのテンプレートを示す略線図である。
【図８】経度順のマップビュー画面を生成するためのテンプレートを示す略線図である。
【図９】地図画像だけが描画された途中段階における緯度順のマップビュー画面を示す略線図である。
【図１０】地図画像だけが描画された途中段階における経度順のマップビュー画面を示す略線図である。
【図１１】縮小画像のインデックス表示処理手順のサブルーチンを示すフローチャートである。
【図１２】地図画像及び縮小画像が描画された途中段階における緯度順のマップビュー画面を示す略線図である。
【図１３】地図画像及び縮小画像が描画された途中段階における経度順のマップビュー画面を示す略線図である。
【図１４】撮影場所マーク描画処理手順のサブルーチンを示すフローチャートである。
【図１５】地図画像、縮小画像及び撮影場所マークが描画された最終的な緯度順のマップビュー画面を示す略線図である。
【図１６】地図画像、縮小画像及び撮影場所マークが描画された最終的な経度順のマップビュー画面を示す略線図である。
【図１７】選択画像を変更したときの経度順のマップビュー画面を示す略線図である。
【図１８】スクロールバーにより選択画像を変更したときの経度順のマップビュー画面を示す略線図である。
【図１９】撮影日時順のマップビュー画面を示す略線図である。
【図２０】撮影日時順表示モードにおけるサムネイル画面を示す略線図である。
【図２１】他の実施の形態における同じ撮影場所に２つの画像が存在する場合のマップビュー画面を示す略線図である。
【図２２】他の実施の形態における同じ撮影場所に２つ以上の画像が存在する場合のマップビュー画面を示す略線図である。
【図２３】他の実施の形態における同じ撮影場所に複数の画像が存在する場合のマップビュー画面を示す略線図である。
【発明を実施するための形態】
【００１２】
以下、発明を実施するための最良の形態（以下、実施の形態とする）について説明する。なお、説明は以下の順序で行う。
１．実施の形態
２．他の実施の形態
【００１３】
＜１．実施の形態＞
［１−１．デジタルビデオカメラの回路構成］
図１において、１は全体として本発明の一実施の形態におけるデジタルビデオカメラを示し、ＣＰＵ(Central Processing Unit)１０がバス２２を介して全体を統括制御し、ＣＣＤカメラ１５によるカメラ撮影機能及び記録メディア２１に対する記録再生機能等を実現する。
【００１４】
このデジタルビデオカメラ１では、ＲＯＭ(Read Only Memory)１１に格納された基本プログラム（図示せず）及び各種プログラムを読み出してＲＡＭ(Random Access Memory)１２に展開することにより、カメラ撮影機能及び記録再生機能等を実現するための各種処理を実行するようになされている。
【００１５】
実際上、デジタルビデオカメラ１では、本体部（図示せず）の表面に設けられた各種の操作ボタン１７に対するユーザの押下操作に応じた命令を操作入力受付部１６により受け付け、その命令をＣＰＵ１０によって認識する。
【００１６】
デジタルビデオカメラ１のＣＰＵ１０は、操作ボタン１７に対する押下操作により撮影命令が入力されたことを認識すると、ＣＣＤ(Charge Coupled Device)カメラ１５により静止画や動画を撮影し、その結果得られる静止画データや動画データを画像信号処理部１４へ送出する。
【００１７】
デジタルビデオカメラ１のＣＰＵ１０は、画像信号処理部１４により、静止画データや動画データに対して所定の圧縮符号化処理等を施させるようになされている。
【００１８】
このときデジタルビデオカメラ１のＣＰＵ１０は、アンテナ１３Ａを介してＧＰＳ(Global Positioning System )衛星から衛星信号を受信し、その衛星信号をモジュール等でなる位置情報取得部１３により解析することにより、ＣＣＤカメラ１５による撮影時の位置すなわち撮影場所の位置情報（緯度・経度）を取得するようになされている。
【００１９】
なおデジタルビデオカメラ１のＣＰＵ１０は、撮影場所とは無関係に、位置情報取得部１３によりユーザの現在位置の位置情報（緯度・経度）についても取得し得るようになされている。
【００２０】
そしてデジタルビデオカメラ１のＣＰＵ１０は、静止画データに基づいてサムネイル化したインデックス表示用の所定サイズの縮小画像を生成し、その縮小画像と、当該静止画データと、撮影日時と、その撮影場所の位置情報（緯度・経度）とを対応付けた静止画データファイルＩＤＦ１、ＩＤＦ２、……、を生成し、記録再生部２０へ送出する。
【００２１】
同様にデジタルビデオカメラ１のＣＰＵ１０は、動画データを構成する最初のフレーム画像に基づいてサムネイル化したインデックス表示用の所定サイズの縮小画像を生成し、その縮小画像と、当該動画データと、撮影日時と、その撮影場所の位置情報（緯度・経度）とを対応付けた動画データファイルＡＤＦ１を生成し、記録再生部２０へ送出する。
【００２２】
デジタルビデオカメラ１のＣＰＵ１０は、記録再生部２０により静止画データファイルＩＤＦ１、ＩＤＦ２、……、や動画データファイルＡＤＦ１を例えばフラッシュメモリ等の記録メディア２１に記録するようになされている。
【００２３】
またデジタルビデオカメラ１のＣＰＵ１０は、静止画データファイルＩＤＦ１、ＩＤＦ２、……、や動画データファイルＡＤＦ１を記録メディア２１から読み出して再生し得るようになされている。
【００２４】
なおデジタルビデオカメラ１のＣＰＵ１０は、記録メディア２１に記録した静止画データファイルＩＤＦ１、ＩＤＦ２、……、や動画データファイルＡＤＦ１についてはフォルダ形式で管理するようになされている。
【００２５】
このときデジタルビデオカメラ１のＣＰＵ１０は、記録メディア２１から読み出した静止画データファイルＩＤＦ１、ＩＤＦ２、……、や動画データファイルＡＤＦ１に対する再生結果を表示制御部１８によりＬＣＤ(Liquid Crystal Display)１９に表示し得るようになされている。因みにデジタルビデオカメラ１のＣＰＵ１０は、このＬＣＤ１９を撮影時のビューファインダとしても用いるようになされている。
【００２６】
図２に示すように、記録メディア２１には「DIR001」のフォルダＦＬ１が生成されており、その中に、「SEISHIGA001.JPG」の静止画データファイルＩＤＦ１、「SEISHIGA002.JPG」の静止画データファイルＩＤＦ２、……、「DOUGA001.avi」の動画データフファイルＡＤＦ１等が格納されている。
【００２７】
また記録メディア２１には、静止画データファイルＩＤＦ１、ＩＤＦ２、動画データフファイルＡＤＦ１等を管理するため、ＣＰＵ１０により生成された画像管理データファイルＩＭＦが格納されている。
【００２８】
ここで「SEISHIGA001.JPG」の静止画データファイルＩＤＦ１は、ＣＣＤカメラ１５により撮影された静止画データ、位置情報取得部１３により取得された撮影位置の位置情報（緯度・経度）及び縮小画像等が対応付けられている。
【００２９】
また「SEISHIGA002.JPG」の静止画データファイルＩＤＦ２についても、ＣＣＤカメラ１５により撮影された静止画データ、位置情報取得部１３により取得された撮影位置の位置情報（緯度・経度）及び縮小画像等が対応付けられている。
【００３０】
更に「DOUGA001.avi」の動画データファイルＡＤＦ１は、ＣＣＤカメラ１５により撮影された動画データ、位置情報取得部１３により取得された撮影位置の位置情報（緯度・経度）及び、その動画データを構成している最初のフレームの縮小画像等が対応付けられている。
【００３１】
なお画像管理データファイルＩＭＦは、ヘッダ部ＨＤ、画像データ管理部ＧＭ、空き領域ＢＡにより構成されている。ヘッダ部ＨＤには、画像管理データファイルＩＭＦによって管理している静止画データファイルＩＤＦ１、ＩＤＦ２、……、及び動画データフファイルＡＤＦ１等の管理情報数や、どのような並び順（例えば撮影日時順）で管理しているかを示す並び順情報等が格納されている。
【００３２】
画像データ管理部ＧＭには、静止画データファイルＩＤＦ１に対応した画像データ管理情報［１］、静止画データファイルＩＤＦ２に対応した画像データ管理情報［２］、……、動画データファイルＡＤＦ１に対応した画像データ管理情報［ｎ］が格納されている。
【００３３】
例えば画像データ管理情報［１］の内容としては、静止画データファイルＩＤＦ１を特定するためのファイル特定情報「”/DIR001/SEISHIGA001.JPG ”」、撮影位置を特定するための位置情報（緯度・経度）及び撮影日時等である。
【００３４】
同様に、画像データ管理情報［２］の内容としては、静止画データファイルＩＤＦ２を特定するためのファイル特定情報「”/DIR001/SEISHIGA002.JPG ”」、撮影位置を特定するための位置情報（緯度・経度）及び撮影日時等である。
【００３５】
なお、画像データ管理情報［ｎ］の内容についても、動画データファイルＡＤＦ１を特定するためのファイル特定情報「”/DIR001/DOUGA001.avi ”」、撮影位置を特定するための位置情報（緯度・経度）及び撮影日時等である。
【００３６】
ところで、空き領域ＢＡについては、ユーザが自由に使用できるようになされており、静止画データファイルＩＤＦ１、ＩＤＦ２、……、及び動画データフファイルＡＤＦ１等の縮小画像を格納するようにしても良い。
【００３７】
因みに記録メディア２１では、「DIR001」のフォルダＦＬ１に地図関連データファイルＭＤＦが格納されている。従ってデジタルビデオカメラ１のＣＰＵ１０は、地図画像を描画する際に地図関連データファイルＭＤＦを読み出し、当該地図関連データファイルＭＤＦの地図関連データを用いて地図画像を描画するようになされている。
【００３８】
［１−２．緯度・経度順インデックス表示処理手順］
本発明のデジタルビデオカメラ１では、アプリケーションプログラムに従い、ＣＣＤカメラ１５により撮影した静止画データや動画データのサムネイル化した縮小画像を、緯度順又は経度順によりインデックス表示するようになされており、その緯度・経度順インデックス表示処理手順について説明する。
【００３９】
図３に示すように、デジタルビデオカメラ１のＣＰＵ１０は、アプリケーションプログラムに従い、ルーチンＲＴ１の開始ステップから入って次のステップＳＰ１へ移る。
【００４０】
ステップＳＰ１においてデジタルビデオカメラ１のＣＰＵ１０は、電源投入後のＣＣＤカメラ１５による撮影可能状態から、ユーザのボタン操作に応じて記録メディア２１を再生する再生可能状態へ入り、次のステップＳＰ２へ移る。
【００４１】
ステップＳＰ２においてデジタルビデオカメラ１のＣＰＵ１０は、再生可能状態の中で表示すべき再生対象の静止画データ又は動画データをサムネイル表示するためのサムネイル表示モードが図示しないメニュー画面により選択されたか否かを判定する。
【００４２】
ここで否定結果が得られると、このことはサムネイル表示モードが選択されておらず、本発明におけるマップビュー表示モード（後述する）が図示しないメニュー画面により選択されたことを表しており、このときＣＰＵ１０は次のステップＳＰ３へ移る。
【００４３】
ステップＳＰ３においてＣＰＵ１０は、位置情報取得部１３により当該デジタルビデオカメラ１の現在位置（緯度・経度）を算出した後、当該現在位置を中心とした所定縮尺の地図表示範囲（例えば半径２００ｍ）を設定し、次のステップＳＰ４へ移る。
【００４４】
ステップＳＰ４においてデジタルビデオカメラ１のＣＰＵ１０は、画像管理データファイルＩＭＦ（図２）を参照し、その地図表示範囲に含まれる静止画データファイルＩＤＦ１、ＩＤＦ２、……、の位置情報（緯度・経度）や動画データファイルＡＤＦ１の位置情報（緯度・経度）を取得した後、次のステップＳＰ５へ移る。
【００４５】
ステップＳＰ５においてデジタルビデオカメラ１のＣＰＵ１０は、ステップＳＰ３で算出したユーザの現在位置（緯度・経度）に最も近い位置情報（緯度・経度）を有するのが、例えば静止画データファイルＩＤＦ１であると認識したとき、その位置情報を緯度経度ソート基準点として設定し、次のサブルーチンＳＲＴ６へ移る。
【００４６】
サブルーチンＳＲＴ６においてデジタルビデオカメラ１のＣＰＵ１０は、静止画データファイルＩＤＦ１、ＩＤＦ２、……、や動画データファイルＡＤＦ１の縮小画像を緯度順又は経度順でインデックス表示する際に必要な画像ソートテーブル（後述する）を生成する。
【００４７】
実際上、図４に示すように、デジタルビデオカメラ１のＣＰＵ１０は、サブルーチンＳＲＴ６のステップＳＰ２１へ移り、記録メディア２１に格納されている全ての静止画データファイルＩＤＦ１、ＩＤＦ２、……、動画データファイルＡＤＦ１のファイル名及び位置情報（緯度・経度）を取得し、次のステップＳＰ２２へ移る。
【００４８】
ステップＳＰ２２においてデジタルビデオカメラ１のＣＰＵ１０は、ステップＳＰ５で設定した緯度経度ソート基準点を始点として、これらのファイル名を緯度順にソートする。これによりデジタルビデオカメラ１のＣＰＵ１０は、図５に示すような緯度順ソートテーブルＴ１を生成してＲＡＭ１２上に保持し、次のステップＳＰ２３へ移る。
【００４９】
この緯度順ソートテーブルＴ１では、緯度経度ソート基準点である緯度Ａを始点として緯度Ｂ、緯度Ｃ、……、のように緯度順に静止画データファイルＩＤＦ１、ＩＤＦ２や動画データファイルＡＤＦ１のファイル名が並べられている。
【００５０】
ステップＳＰ２３においてデジタルビデオカメラ１のＣＰＵ１０は、ステップＳＰ５で設定した緯度経度ソート基準点を始点として、これらのファイル名を経度順にソートする。これによりデジタルビデオカメラ１のＣＰＵ１０は、経度順ソートテーブルＴ２（図５）を生成してＲＡＭ１２上に保持し、次のサブルーチンＳＲＴ７（図３）へ移る。
【００５１】
この経度順ソートテーブルＴ２は、緯度経度ソート基準点である経度Ｊを始点として経度Ｋ、経度Ｌ、……、のように経度順に静止画データファイルＩＤＦ１、ＩＤＦ２や動画データファイルＡＤＦ１のファイル名が並べられている。
【００５２】
ここでデジタルビデオカメラ１のＣＰＵ１０は、ステップＳＰ２２で緯度順にソートした後、ステップＳＰ２３で経度順にソートするようにしたが、これに限るものではない。例えばデジタルビデオカメラ１のＣＰＵ１０は、これとは逆にステップＳＰ２２で経度順にソートし、ステップＳＰ２３で緯度順にソートするようにしても良く、また、緯度順、経度順に同時にソートしても良い。
【００５３】
サブルーチンＳＲＴ７においてデジタルビデオカメラ１のＣＰＵ１０は、ステップＳＰ３で設定した地図表示範囲の地図画像を描画するようになされている。
【００５４】
実際上、図６に示すようにデジタルビデオカメラ１のＣＰＵ１０は、サブルーチンＳＲＴ７のステップＳＰ３１へ移り、ステップＳＰ５で設定した緯度経度ソート基準点を中心とした地図表示範囲（半径２００ｍ）に相当する地図関連データを地図関連データファイルＭＤＦから読み出して取得し、次のステップＳＰ３２へ移る。
【００５５】
ステップＳＰ３２においてデジタルビデオカメラ１のＣＰＵ１０は、図７に示すようなインデックス表示が緯度順のマップビュー画面に対応したテンプレートＴＰ１、又は図８に示すようなインデックス表示が経度順のマップビュー画面に対応したテンプレートＴＰ２を用い、その地図画像表示領域ＭＡＲ１及びＭＡＲ２に対して、地図関連データファイルＭＤＦの地図関連データに基づき地図画像を描画する。
【００５６】
これによりデジタルビデオカメラ１のＣＰＵ１０は、テンプレートＴＰ１の地図画像表示領域ＭＡＲ１又はテンプレートＴＰ２の地図画像表示領域ＭＡＲ２に対し、緯度経度ソート基準点を中心とした地図表示範囲（半径２００ｍ）の地図画像を描画できる。
【００５７】
この結果、デジタルビデオカメラ１のＣＰＵ１０は、図９に示すような地図画像ＭＰだけが描画された途中段階における緯度順のマップビュー画面ＭＶ１ａ又は図１０に示すような地図画像ＭＰだけが描画された途中段階における経度順のマップビュー画面ＭＶ２ａを生成し得、次のサブルーチンＳＲＴ８（図３）へ移る。
【００５８】
この結果、マップビュー画面ＭＶ１ａ（図９）及びＭＶ２ａ（図１０）では、デジタルビデオカメラ１を所持するユーザの現在位置に最も近い緯度経度ソート基準点を中心とした地図表示範囲（半径２００ｍ）の地図画像ＭＰが表示されることになる。
【００５９】
なおテンプレートＴＰ１（図７）及びＴＰ２（図８）には、インデックス表示のために縮小画像を貼り付ける縮小画像貼付領域ＭＧＡ１、ＭＧＡ２がそれぞれ設けられている。
【００６０】
特に、テンプレートＴＰ１（図７）では、緯度順にインデックス表示することから、縮小画像貼付領域ＭＧＡ１に対して縮小画像が縦に並べられるようになされている。またテンプレートＴＰ２（図８）では、経度順にインデックス表示することから、縮小画像貼付領域ＭＧＡ２に対して縮小画像が横に並べられるようになされている。
【００６１】
またテンプレートＴＰ１（図７）では、その縮小画像貼付領域ＭＧＡ１の表示対象を変更するためのスクロールバーＢｒ１が左端部に設けられており、テンプレートＴＰ２（図８）では、その縮小画像貼付領域ＭＧＡ２の表示対象を変更するためのスクロールバーＢｒ２が上端部に設けられている。
【００６２】
更にテンプレートＴＰ１（図７）には、インデックス表示を撮影日時順に行うことを選択するための日時ボタンＢＴ１、緯度順に行うことを選択するための緯度ボタンＢＴ２、及び経度順に行うことを選択するための経度ボタンＢＴ３が設けられている。
【００６３】
同様にテンプレートＴＰ２（図８）にも、インデックス表示を撮影日時順に行うことを選択するための日時ボタンＢＴ４、緯度順に行うことを選択するための緯度ボタンＢＴ５、及び経度順に行うことを選択するための経度ボタンＢＴ６が設けられている。
【００６４】
サブルーチンＳＲＴ８においてデジタルビデオカメラ１のＣＰＵ１０は、テンプレートＴＰ１の縮小画像貼付領域ＭＧＡ１に対して、地図画像ＭＰにより表示された地図表示範囲内に存在する静止画データファイルＩＤＦ１、ＩＤＦ２、……、や動画データファイルＡＤＦ１の縮小画像をインデックス表示するようになされている。
【００６５】
同様に、サブルーチンＳＲＴ８においてデジタルビデオカメラ１のＣＰＵ１０は、テンプレートＴＰ２の縮小画像貼付領域ＭＧＡ２に対して、地図画像ＭＰにより表示された地図表示範囲内に存在する静止画データファイルＩＤＦ１、ＩＤＦ２、……、や動画データファイルＡＤＦ１の縮小画像をインデックス表示するようになされている。
【００６６】
実際上、図１１に示すようにデジタルビデオカメラ１のＣＰＵ１０は、サブルーチンＳＲＴ８のステップＳＰ４１へ移り、マップビュー画面ＭＶ１ａ（図９）又はＭＶ２ａ（図１０）の縮小画像貼付領域ＭＧＡ１又はＭＧＡ２に対するインデックス表示の順番として緯度順が設定されているか否かを判定する。
【００６７】
ここでデジタルビデオカメラ１のＣＰＵ１０は、マップビュー画面ＭＶ１ａ（図９）の緯度ボタンＢＴ２又はマップビュー画面ＭＶ２ａ（図１０）の緯度ボタンＢＴ５が選択されている場合、肯定結果を得て次のステップＳＰ４２へ移る。
【００６８】
ステップＳＰ４２においてデジタルビデオカメラ１のＣＰＵ１０は、緯度経度ソート基準点の緯度に最も近いファイル名を緯度順ソートテーブルＴ１（図５）から検索し、それを最初にインデックス表示を行う際の基準画像として設定した後、次のステップＳＰ４３へ移る。
【００６９】
ステップＳＰ４３においてデジタルビデオカメラ１のＣＰＵ１０は、基準画像として設定したファイル名を先頭にしてインデックス表示数分の静止画データファイルＩＤＦ１、ＩＤＦ２、……や動画データファイルＡＤＦ１を記録メディア２１から取得し、次のステップＳＰ４４へ移る。
【００７０】
ステップＳＰ４４においてデジタルビデオカメラ１のＣＰＵ１０は、インデックス表示数分の静止画データファイルＩＤＦ１、ＩＤＦ２、……や動画データファイルＡＤＦ１から縮小画像をそれぞれ取り出す。
【００７１】
そしてデジタルビデオカメラ１のＣＰＵ１０は、静止画データファイルＩＤＦ１、ＩＤＦ２、……や動画データファイルＡＤＦ１の縮小画像をマップビュー画面ＭＶ１ａ（図９）の縮小画像貼付領域ＭＧＡ１に上側から並べて縦に貼り付けることにより描画し、次のサブルーチンＳＲＴ９（図３）へ移る。
【００７２】
これによりデジタルビデオカメラ１のＣＰＵ１０は、図１２に示すような地図画像ＭＰ及び縮小画像ＭＧ１、ＭＧ２、ＭＧ３、ＭＧ４が縮小画像貼付領域ＭＧＡ１に上側から並べられた途中段階における緯度順のマップビュー画面ＭＶ１ｂを生成する。
【００７３】
これに対してステップＳＰ４１で否定結果が得られると、このことはマップビュー画面ＭＶ１ａの経度ボタンＢＴ３又はマップビュー画面ＭＶ２ｂの経度ボタンＢＴ６が選択されており、縮小画像のインデックス表示の順番として経度順が設定されていることを表しており、このときＣＰＵ１０は次のステップＳＰ４５へ移る。
【００７４】
ステップＳＰ４５においてデジタルビデオカメラ１のＣＰＵ１０は、緯度経度ソート基準点の経度に最も近いファイル名を経度順ソートテーブルＴ２（図５）から検索し、それを最初にインデックス表示を行う際の基準画像として設定し、次のステップＳＰ４６へ移る。
【００７５】
ステップＳＰ４６においてデジタルビデオカメラ１のＣＰＵ１０は、基準画像として設定したファイル名を先頭にしてインデックス表示数分の静止画データファイルＩＤＦ１、ＩＤＦ２、……や動画データファイルＡＤＦ１を記録メディア２１から取得し、次のステップＳＰ４７へ移る。
【００７６】
ステップＳＰ４７においてデジタルビデオカメラ１のＣＰＵ１０は、インデックス表示数分の静止画データファイルＩＤＦ１、ＩＤＦ２、……や動画データファイルＡＤＦ１から縮小画像をそれぞれ取り出す。
【００７７】
そしてデジタルビデオカメラ１のＣＰＵ１０は、静止画データファイルＩＤＦ１、ＩＤＦ２、……や動画データファイルＡＤＦ１の縮小画像をマップビュー画面ＭＶ２ａ（図１０）の縮小画像貼付領域ＭＧＡ２に左側から並べて横に貼り付けることにより描画し、次のサブルーチンＳＲＴ９（図３）へ移る。
【００７８】
これによりデジタルビデオカメラ１のＣＰＵ１０は、図１３に示すような地図画像ＭＰ及び縮小画像ＭＧ１、ＭＧ２、ＭＧ４、ＭＧ５が縮小画像貼付領域ＭＧＡ２に左側から並べられた途中段階における経度順のマップビュー画面ＭＶ２ｂを生成する。
【００７９】
この場合、緯度順のマップビュー画面ＭＶ１ｂ（図１２）と経度順のマップビュー画面ＭＶ２ｂ（図１３）とでは、縮小画像貼付領域ＭＧＡ１、ＭＧＡ２の表示対象として、縮小画像ＭＧ１、ＭＧ２及びＭＧ４だけが双方に共通している。
【００８０】
サブルーチンＳＲＴ９においてデジタルビデオカメラ１のＣＰＵ１０は、マップビュー画面ＭＶ１ｂ（図１２）又はＭＶ２ｂ（図１３）の地図画像ＭＰに対し、縮小画像貼付領域ＭＧＡ１、ＭＧＡ２の縮小画像ＭＧ１〜ＭＧ５が地図上の何処に対応しているのかを示すための撮影場所マーク（後述する）を描画するようになされている。
【００８１】
実際上、図１４に示すようにデジタルビデオカメラ１のＣＰＵ１０は、サブルーチンＳＲＴ９のステップＳＰ５１へ移る。ステップＳＰ５１においてデジタルビデオカメラ１のＣＰＵ１０は、現在表示している地図画像ＭＰの地図表示範囲（左上端の緯度経度、右下端の緯度経度）を地図関連データファイルＭＤＦから読み取って取得し、次のステップＳＰ５２へ移る。
【００８２】
ステップＳＰ５２においてデジタルビデオカメラ１のＣＰＵ１０は、地図画像ＭＰの地図表示範囲（左上端の緯度・経度、右下端の緯度・経度）に含まれる静止画データファイルＩＤＦ１、ＩＤＦ２、……、や動画データファイルＡＤＦ１の位置情報（緯度・経度）を取得し、次のステップＳＰ５３へ移る。
【００８３】
ステップＳＰ５３においてデジタルビデオカメラ１のＣＰＵ１０は、ステップＳＰ５２で取得した一つ目の位置情報（緯度・経度）が、縮小画像貼付領域ＭＧＡ１、ＭＧＡ２にインデックス表示された縮小画像ＭＧ１〜ＭＧ５の何れかに該当するか否かを判定する。
【００８４】
ここで否定結果が得られると、このことは位置情報（緯度・経度）が縮小画像貼付領域ＭＧＡ１、ＭＧＡ２にインデックス表示された縮小画像ＭＧ１〜ＭＧ５の何れにも該当していないことを表しており、このときＣＰＵ１０は次のステップＳＰ５４へ移る。
【００８５】
すなわち、ステップＳＰ５３で否定結果が得られた場合というのは、その位置情報（緯度・経度）については地図画像ＭＰの地図表示範囲ではあるが、縮小画像貼付領域ＭＧＡ１、ＭＧＡ２に対するインデックス表示の対象ではないことを意味している。
【００８６】
ステップＳＰ５４においてデジタルビデオカメラ１のＣＰＵ１０は、インデックス表示の順番として緯度順が選択されていた場合、図１５に示すように、地図画像ＭＰ上に対して、その位置情報に対応した白色の三角形状でなる例えば撮影場所マークＷＰ１を描画し、次のステップＳＰ５７へ移る。
【００８７】
なお、ステップＳＰ５４においてデジタルビデオカメラ１のＣＰＵ１０は、インデックス表示の順番として経度順が選択されていた場合、図１６に示すように、地図画像ＭＰ上に対して、その位置情報に対応した白色の三角形状でなる例えば撮影場所マークＷＰ５を描画し、次のステップＳＰ５７へ移る。因みに、撮影場所マークＷＰ１と撮影場所マークＷＰ５とは同じである。
【００８８】
これに対してステップＳＰ５３で肯定結果が得られると、このことは位置情報（緯度・経度）が縮小画像貼付領域ＭＧＡ１、ＭＧＡ２にインデックス表示された縮小画像ＭＧ１〜ＭＧ５の何れかに該当することを表しており、このときＣＰＵ１０は次のステップＳＰ５５へ移る。
【００８９】
すなわち、ステップＳＰ５３で肯定結果が得られた場合というのは、その位置情報（緯度・経度）については地図表示範囲であり、かつ縮小画像貼付領域ＭＧＡ１、ＭＧＡ２に対するインデックス表示の対象でもあることを意味している。
【００９０】
ステップＳＰ５５においてデジタルビデオカメラ１のＣＰＵ１０は、インデックス表示の順番として緯度順が選択されていた場合、図１５に示すように、地図画像ＭＰ上に対して、その位置情報に対応した例えば赤色の三角形状でなる例えば撮影場所マークＲＰ１を描画し、次のステップＳＰ５６へ移る。
【００９１】
なお、ステップＳＰ５５においてデジタルビデオカメラ１のＣＰＵ１０は、インデックス表示の順番として経度順が選択されていた場合、図１６に示すように、地図画像ＭＰ上に対して、その位置情報に対応した例えば赤色の三角形状でなる例えば撮影場所マークＲＰ５を描画し、次のステップＳＰ５７へ移る。因みに、この場合も撮影場所マークＲＰ１と撮影場所マークＲＰ５とは同じである。
【００９２】
ステップＳＰ５６においてデジタルビデオカメラ１のＣＰＵ１０は、インデックス表示の順番として緯度順が選択されていた場合、図１５に示すように、縮小画像貼付領域ＭＧＡ１にインデックス表示した例えば縮小画像ＭＧ１と撮影場所マークＲＰ１とを線分により結び付けると共に矢印を描画し、次のステップＳＰ５７へ移る。
【００９３】
またステップＳＰ５６においてデジタルビデオカメラ１のＣＰＵ１０は、インデックス表示の順番として経度順が選択されていた場合、図１６に示すように、縮小画像貼付領域ＭＧＡ２にインデックス表示した例えば縮小画像ＭＧ１と撮影場所マークＲＰ５とを線分により結び付けると共に矢印を描画し、次のステップＳＰ５７へ移る。
【００９４】
ステップＳＰ５７においてデジタルビデオカメラ１のＣＰＵ１０は、ステップＳＰ５２で取得した全ての位置情報（緯度・経度）に対して撮影場所マークＷＰ、ＲＰを描画し終えたか否かを判定する。
【００９５】
ここで否定結果が得られると、このことは未だ撮影場所マークＷＰ、ＲＰを描画していない位置情報（緯度・経度）が残っていることを表しており、このときデジタルビデオカメラ１のＣＰＵ１０はステップＳＰ５３へ戻って上述の処理を繰り返す。
【００９６】
これに対してステップＳＰ５７で肯定結果が得られると、ステップＳＰ５２で取得した全ての位置情報（緯度・経度）に対して撮影場所マークＷＰ、ＲＰを描画し終えたことを表しており、このときデジタルビデオカメラ１のＣＰＵ１０はステップＳＰ１０（図３）へ戻る。
【００９７】
これによりデジタルビデオカメラ１のＣＰＵ１０は、インデックス表示の順番として緯度順が選択されていた場合、地図画像ＭＰ、縮小画像ＭＧ１〜ＭＧ４、及び撮影場所マークＷＰ１〜ＷＰ４、ＲＰ１〜ＲＰ４が描画された最終的な緯度順のマップビュー画面ＭＶ１（図１５）を生成して表示し得るようになされている。
【００９８】
またデジタルビデオカメラ１のＣＰＵ１０は、インデックス表示の順番として経度順が選択されていた場合、地図画像ＭＰ、縮小画像ＭＧ１、ＭＧ２、ＭＧ４、ＭＧ５、及び撮影場所マークＷＰ５〜ＷＰ８、ＲＰ５〜ＲＰ８が描画された最終的な経度順のマップビュー画面ＭＶ２（図１６）を生成して表示し得るようになされている。
【００９９】
ここで、マップビュー画面ＭＶ１（図１５）の撮影場所マークＷＰ１、ＷＰ２、ＷＰ３と、マップビュー画面ＭＶ２（図１６）の撮影場所マークＷＰ５、ＷＰ６、ＷＰ７とは同じである。
【０１００】
またマップビュー画面ＭＶ１（図１５）の撮影場所マークＲＰ１、ＲＰ２、ＲＰ３と、マップビュー画面ＭＶ２（図１６）の撮影場所マークＲＰ５、ＲＰ６、ＲＰ７とについても同じである。
【０１０１】
これはインデックス表示の順番として緯度順が選択された場合と、経度順が選択された場合とで、縮小画像ＭＧの対象が双方ともに共通するからである。
【０１０２】
但し、撮影場所マークＷＰ４（図１５）と撮影場所マークＲＰ８（図１６）とは同じ場所であるものの、その表示色が異なり、撮影場所マークＲＰ４（図１５）と撮影場所マークＷＰ８（図１６）とにおいても同じ場所であるものの、表示色が異なっている。
【０１０３】
これはインデックス表示の順番として緯度順が選択された場合と、経度順が選択された場合とでは、縮小画像ＭＧの対象がそれぞれ異なるからである。
【０１０４】
この最終的なマップビュー画面ＭＶ１（図１５）では、デフォルトの状態として、地図画像ＭＰのほぼ中央に位置する撮影場所マークＲＰ１と結び付けられた縮小画像ＭＧ１がカーソルＣＳによって選択された状態になっている。
【０１０５】
また、最終的なマップビュー画面ＭＶ２（図１６）においても、デフォルトの状態として、地図画像ＭＰのほぼ中央に位置する撮影場所マークＲＰ５と結び付けられた縮小画像ＭＧ１がカーソルＣＳによって選択された状態になっている。
【０１０６】
ステップＳＰ１０においてデジタルビデオカメラ１のＣＰＵ１０は、マップビュー画面ＭＶ１（図１５）、ＭＶ２（図１６）を表示するマップビュー表示モードを終了する命令が与えられたか否かを判定する。
【０１０７】
ここで肯定結果が得られると、このことはユーザによるメニュー操作によってマップビュー表示モードを終了する命令が与えられたことを表しており、このときデジタルビデオカメラ１のＣＰＵ１０はステップＳＰ１５へ移って処理を終了する。
【０１０８】
これに対してステップＳＰ１０で否定結果が得られると、このことはマップビュー表示モードを継続することを表しており、このときデジタルビデオカメラ１のＣＰＵ１０は次のステップＳＰ１１へ移る。
【０１０９】
ステップＳＰ１１においてデジタルビデオカメラ１のＣＰＵ１０は、マップビュー画面ＭＶ１（図１５）、ＭＶ２（図１６）の縮小画像貼付領域ＭＧＡ１、ＭＧＡ２に対するインデックス表示の順序が緯度順と経度順との間で変更されたか否かを判定する。
【０１１０】
ここで肯定結果が得られると、このことは緯度順のマップビュー画面ＭＶ１において経度ボタンＢＴ３が選択されたり、経度順のマップビュー画面ＭＶ２において緯度ボタンＢＴ５が選択される等のインデックス表示の順序変更命令が与えられたことを表しており、このときＣＰＵ１０はサブルーチンＳＲＴ７へ戻って上述の処理を繰り返す。
【０１１１】
これに対してステップＳＰ１１で否定結果が得られると、このことはマップビュー画面ＭＶ１（図１５）、ＭＶ２（図１６）におけるインデックス表示の順序変更命令が与えられていないことを表しており、このときＣＰＵ１０は次のステップＳＰ１２へ移る。
【０１１２】
ステップＳＰ１２においてデジタルビデオカメラ１のＣＰＵ１０は、例えばマップビュー画面ＭＶ２（図１６）の縮小画像ＭＧ１がカーソルＣＳにより選択されたデフォルト状態から、その選択対象が変更されたか否かを判定する。
【０１１３】
選択対象が変更される場合としては、例えば図１７に示すように、カーソルＣＳにより選択対象が縮小画像ＭＧ１から縮小画像ＭＧ４へ変更されることがある。
【０１１４】
また、マップビュー画面ＭＶ２（図１６）におけるスクロールバーＢｒ２の移動により、縮小画像貼付領域ＭＧＡ２に表示された縮小画像ＭＧ１、ＭＧ２、ＭＧ４及びＭＧ５がシフトされることがある。
【０１１５】
このような場合、図１８に示すように、マップビュー画面ＭＶ２では、縮小画像貼付領域ＭＧＡ２の表示対象が縮小画像ＭＧ４、ＭＧ５、ＭＧ３及びＭＧ６に変更され、最も左側に位置する縮小画像ＭＧ４がカーソルＣＳにより選択された状態になった結果、選択対象が縮小画像ＭＧ１から縮小画像ＭＧ４へ変更されるケース等がある。
【０１１６】
このようにステップＳＰ１２で選択対象の縮小画像ＭＧが変更された場合、デジタルビデオカメラ１のＣＰＵ１０は肯定結果を得て次のステップＳＰ１３へ移るが、選択対象が変更されなかった場合、否定結果を得て次のステップＳＰ１５へ移って処理を終了する。
【０１１７】
ステップＳＰ１３においてデジタルビデオカメラ１のＣＰＵ１０は、選択対象が変更された例えば縮小画像ＭＧ４の位置情報（緯度・経度）を新たな緯度経度ソート基準点に設定し直すことにより変更し、サブルーチンＳＲＴ７へ戻って上述した処理を繰り返す。
【０１１８】
この結果、マップビュー画面ＭＶ２では、縮小画像貼付領域ＭＧＡ２の縮小画像ＭＧ４が選択されたことに伴い、地図画像ＭＰの表示範囲がシフトされ、撮影場所マークＲＰ５、ＲＰ６が撮影場所マークＷＰ１１、ＷＰ１２に変更されると共に、撮影場所マークＲＰ９及びＲＰ１０が新たに表示されることになる。
【０１１９】
なお、デジタルビデオカメラ１のＣＰＵ１０は、マップビュー画面ＭＶ１（図１５）、ＭＶ２（図１６）に設けられている日時ボタンＢＴ１、ＢＴ４が選択されたとき、縮小画像ＭＧを撮影日時順に並べて表示するようになされている。
【０１２０】
具体的には、図１９に示すようにデジタルビデオカメラ１のＣＰＵ１０は、縮小画像貼付領域ＭＧＡ２に対して撮影日時順に縮小画像ＭＧ１、ＭＧ９、ＭＧ３、ＭＧ１０を並べて描画する。
【０１２１】
同時にデジタルビデオカメラ１のＣＰＵ１０は、縮小画像ＭＧ１、ＭＧ９、ＭＧ３、ＭＧ１０と、それぞれ対応する撮影場所マークＲＰ２１〜ＲＰ２４とを線分により結び付けると共に矢印を描画することにより、撮影日時順のマップビュー画面ＭＶ３を表示するようになされている。
【０１２２】
このマップビュー画面ＭＶ３（図１９）では、インデックス表示が緯度順でも経度順でもないので、縮小画像ＭＧ１、ＭＧ９、ＭＧ３、ＭＧ１０と、撮影場所マークＲＰ２１〜ＲＰ２４とを結び付けた線分が交差してしまっている。
【０１２３】
ところでステップＳＰ２においてデジタルビデオカメラ１のＣＰＵ１０は、肯定結果が得られると、このことはサムネイル表示モードが選択されていることを表しており、このとき次のステップＳＰ１４へ移る。
【０１２４】
ステップＳＰ１４においてデジタルビデオカメラ１のＣＰＵ１０は、サムネイル表示モードへ入り、静止画データファイルＩＤＦ１、ＩＤＦ２、……や動画データファイルＡＤＦ１の縮小画像ＭＧ１〜ＭＧ１２を、図２０に示すようなサムネイル形式で撮影日時順に一覧表示した後、次のステップＳＰ１５へ移って処理を終了する。
【０１２５】
［１−３．動作及び効果］
以上の構成においてデジタルビデオカメラ１のＣＰＵ１０は、インデックス表示の順番として緯度ボタンＢＴ２又はＢＴ５が選択された場合、緯度順のマップビュー画面ＭＶ１（図１５）を介して、縮小画像ＭＧ１〜ＭＧ４を縮小画像貼付領域ＭＧＡ１に対して緯度順に縦表示する。
【０１２６】
またデジタルビデオカメラ１のＣＰＵ１０は、その縮小画像ＭＧ１〜ＭＧ４に対応した撮影場所マークＲＰ１〜ＲＰ４を地図画像ＭＰ上に赤色で表示すると共に、縮小画像ＭＧ１〜ＭＧ４と撮影場所マークＲＰ１〜ＲＰ４とを線分により結び付け、かつ矢印表示する。
【０１２７】
これによりデジタルビデオカメラ１のＣＰＵ１０は、緯度順に縦表示された縮小画像ＭＧ１〜ＭＧ４と撮影場所マークＲＰ１〜ＲＰ４との対応関係をユーザに対して容易に認識させ得ると共に、その撮影場所が地図上の何処であるかを容易に理解させることができる。
【０１２８】
また、このときデジタルビデオカメラ１のＣＰＵ１０は、緯度順に縦表示した縮小画像ＭＧ１〜ＭＧ４の並び順と、緯度順の撮影場所マークＲＰ１〜ＲＰ４の並び順とを一致させることができる。これによりデジタルビデオカメラ１のＣＰＵ１０は、縮小画像ＭＧ１〜ＭＧ４と撮影場所マークＲＰ１〜ＲＰ４とを互いに交差することのない線分により結び付けることができる。
【０１２９】
かくしてデジタルビデオカメラ１のＣＰＵ１０は、緯度順に縦表示した縮小画像ＭＧ１〜ＭＧ４と、緯度順の撮影場所マークＲＰ１〜ＲＰ４との対応関係を視覚的に一段と認識し易く表示することができる。
【０１３０】
更にデジタルビデオカメラ１のＣＰＵ１０は、インデックス表示の対象である縮小画像ＭＧ１〜ＭＧ４に対応した赤色の撮影場所マークＲＰ１〜ＲＰ４を表示する一方、インデックス表示の未対象となっているものについては白色の撮影場所マークＷＰ１〜ＷＰ４を表示する。
【０１３１】
これによりデジタルビデオカメラ１のＣＰＵ１０は、地図画像ＭＰ上における赤色の撮影場所マークＲＰ１〜ＲＰ２を白色の撮影場所マークＷＰ１〜ＷＰ４よりも際立たせることができるので、インデックス表示した縮小画像ＭＧ１〜ＭＧ４が地図上の何処にあるかをユーザに対して容易に認識させることができる。
【０１３２】
さらにデジタルビデオカメラ１のＣＰＵ１０は、例えばマップビュー画面ＭＶ１（図１５）の経度ボタンＢＴ３が選択された場合、当該マップビュー画面ＭＶ１からマップビュー画面ＭＶ２（図１６）へ切り換えて表示することができる。
【０１３３】
この場合、デジタルビデオカメラ１のＣＰＵ１０は、経度順のマップビュー画面ＭＶ２（図１６）を介して、縮小画像ＭＧ１、ＭＧ２、ＭＧ４及びＭＧ５を縮小画像貼付領域ＭＧＡ２に対して経度順に横表示する。
【０１３４】
またデジタルビデオカメラ１のＣＰＵ１０は、その縮小画像ＭＧ１、ＭＧ２、ＭＧ４及びＭＧ５に対応した撮影場所マークＲＰ５〜ＲＰ８を地図画像ＭＰ上に赤色で表示すると共に、縮小画像ＭＧ１、ＭＧ２、ＭＧ４及びＭＧ５と撮影場所マークＲＰ５〜ＲＰ８とを線分により結び付け、かつ矢印表示する。
【０１３５】
これによりデジタルビデオカメラ１のＣＰＵ１０は、経度順に横表示された縮小画像ＭＧ１、ＭＧ２、ＭＧ４及びＭＧ５と撮影場所マークＲＰ５〜ＲＰ８との対応関係をユーザに対して容易に認識させ得ると共に、その撮影場所が地図上の何処であるかを容易に理解させることができる。
【０１３６】
また、このときデジタルビデオカメラ１のＣＰＵ１０は、経度順に横表示した縮小画像ＭＧ１、ＭＧ２、ＭＧ４及びＭＧ５の並び順と、経度順の撮影場所マークＲＰ５〜ＲＰ８の並び順とを一致させることができる。これによりデジタルビデオカメラ１のＣＰＵ１０は、縮小画像ＭＧ１、ＭＧ２、ＭＧ４及びＭＧ５と撮影場所マークＲＰ５〜ＲＰ８とを互いに交差することのない線分により結び付けることができる。
【０１３７】
かくしてデジタルビデオカメラ１のＣＰＵ１０は、経度順に横表示した縮小画像ＭＧ１、ＭＧ２、ＭＧ４及びＭＧ５と、経度順の撮影場所マークＲＰ５〜ＲＰ８との対応関係を視覚的に一段と認識し易く表示することができる。
【０１３８】
更にデジタルビデオカメラ１のＣＰＵ１０は、インデックス表示の対象である縮小画像ＭＧ１、ＭＧ２、ＭＧ４及びＭＧ５に対応した赤色の撮影場所マークＲＰ５〜ＲＰ８を表示する一方、インデックス表示の未対象となっているものについては白色の撮影場所マークＷＰ５〜ＷＰ８を表示する。
【０１３９】
これによりデジタルビデオカメラ１のＣＰＵ１０は、地図画像ＭＰ上における赤色の撮影場所マークＲＰ５〜ＲＰ８を白色の撮影場所マークＷＰ５〜ＷＰ８よりも際立たせることができるので、インデックス表示した縮小画像ＭＧ１、ＭＧ２、ＭＧ４及びＭＧ５が地図上の何処にあるかをユーザに対して容易に認識させることができる。
【０１４０】
以上の構成によれば、デジタルビデオカメラ１では、インデックス表示を緯度順に行うマップビュー画面ＭＶ１や、インデックス表示を経度順に行うマップビュー画面ＭＶ２を相互に切り換えて表示することができる。
【０１４１】
これによりデジタルビデオカメラ１は、ユーザに対して、緯度順又は経度順に並べられた縮小画像ＭＧと地図上の撮影場所マークＲＰとの対応関係を容易に認識させることができる。
【０１４２】
＜２．他の実施の形態＞
なお上述の実施の形態においては、位置情報取得部１３により取得したユーザの現在位置に最も近い例えば静止画データファイルＩＤＦ１の位置情報（緯度・経度）を緯度経度ソート基準点として設定するようにした場合について述べた。
【０１４３】
しかしながら、本発明はこれに限らず、マップビュー画面ＭＶ１（図１５）、ＭＶ２（図１６）でユーザにより縮小画像ＭＧが任意に選択されたとき、その縮小画像ＭＧが有する位置情報（緯度・経度）を緯度経度ソート基準点として設定するようにしても良い。
【０１４４】
また、本発明はこれに限らず、地名と位置情報（緯度・経度）とを予め対応させたデータベースが記録メディア２１に予め格納されていれば、ユーザにより地名が入力されたとき、その地名に対応する位置情報（緯度・経度）をＣＰＵ１０が記録メディア２１から読み出し、その位置情報を緯度経度ソート基準点として設定するようにしても良い。
【０１４５】
さらに本発明はこれに限らず、地図画像ＭＰ上の任意の位置をユーザがタッチ操作したとき、その位置情報に最も近い静止画データファイルＩＤＦ１、ＩＤＦ２、……、動画データファイルＡＤＦ１の位置情報（緯度・経度）を緯度経度ソート基準点として設定するようにしても良い。
【０１４６】
さらに本発明はこれに限らず、ユーザが任意の位置情報（緯度・経度）を直接入力し、その位置情報に最も近い静止画データファイルＩＤＦ１、ＩＤＦ２、……、動画データファイルＡＤＦ１の位置情報（緯度・経度）を緯度経度ソート基準点として設定するようにしても良い。
【０１４７】
さらに上述の実施の形態においては、位置情報取得部１３により取得した現在位置に最も近い例えば静止画データファイルＩＤＦ１の位置情報（緯度・経度）が地図画像ＭＰの中心となるように当該地図画像ＭＰを表示するようにした場合について述べた。
【０１４８】
しかしながら本発明はこれに限らず、位置情報取得部１３により取得した現在位置に最も近い例えば静止画データファイルＩＤＦ１の位置情報（緯度・経度）を緯度経度ソート基準点として設定する一方、その現在位置を地図画像ＭＰの中心となるように表示するようにしても良い。
【０１４９】
さらに上述の実施の形態においては、例えば１つの縮小画像ＭＧ１と１つの撮影場所マークＲＰ１とを線分により結び付けるようにした場合について述べた。
【０１５０】
しかしながら本発明はこれに限らず、例えば１つの撮影場所に対して２つの静止画データファイルＩＤＦが存在する場合、図１６との対応部分に同一符号を付した図２１に示すマップビュー画面ＭＶ５のように、縮小画像ＭＧ１及びＭＧ２と撮影場所マークＲＰ１とを線分により結び付けるようにしても良い。
【０１５１】
さらに上述の実施の形態においては、例えば１つの縮小画像ＭＧ１と１つの撮影場所マークＲＰ１とを線分により結び付けるようにした場合について述べた。
【０１５２】
しかしながら本発明はこれに限らず、例えば１つの撮影場所に対して２つ以上の静止画データファイルＩＤＦが存在する場合、図１６との対応部分に同一符号を付した図２２に示すマップビュー画面ＭＶ６のように、縮小画像ＭＧ１、ＭＧ１Ａ及びＭＧ１Ｂと撮影場所マークＲＰ２５とを線分により結び付けるようにしても良い。
【０１５３】
但し、この場合、縮小画像ＭＧ１、ＭＧ１Ａ及びＭＧ１Ｂにそれぞれ対応して重なり合った形態の撮影場所マークＲＰ２５が表示される。
【０１５４】
さらに上述の実施の形態においては、例えば１つの縮小画像ＭＧ１と１つの撮影場所マークＲＰ１とを線分により結び付けるようにした場合について述べた。
【０１５５】
しかしながら本発明はこれに限らず、例えば１つの撮影場所に対して複数の静止画データファイルが存在する場合、図１６との対応部分に同一符号を付した図２３に示すマップビュー画面ＭＶ７のように、複数枚が重ねあわされた表示形態の縮小画像ＭＧ１Ａ〜ＭＧ１Ｄと撮影場所マークＲＰ１とを線分により結び付けるようにしても良い。
【０１５６】
さらに上述の実施の形態においては、静止画データファイルＩＤＦ１、ＩＤＦ２、……と、動画データファイルＡＤＦ１とをインデックス表示の対象とするようにした場合について述べた。
【０１５７】
しかしながら、本発明はこれに限らず、静止画データファイルＩＤＦ１、ＩＤＦ２、……だけをインデックス表示の対象としたり、或は動画データファイルＡＤＦ１、……、だけをインデックス表示の対象とするようにしても良い。
【０１５８】
さらに上述の実施の形態においては、インデックス表示の順番を緯度順又は経度順に設定するようにした場合について述べたが、本発明はこれに限らず、位置情報として緯度・経度だけでなく、高度に関する情報を取得すれば、インデックス表示の順番を高度順に設定するようにしても良い。
【０１５９】
さらに上述の実施の形態においては、記録メディア２１に地図関連データファイルＭＤＦが格納されているようにした場合について述べたが、本発明はこれに限らず、地図関連データファイルＭＤＦについては、外部のサーバに格納され、必要に応じてダウンロードするようにしても良い。
【０１６０】
さらに上述の実施の形態においては、縮小画像貼付領域ＭＧＡ１、ＭＧＡ２に対して４個の縮小画像ＭＧを貼り付けるようにした場合について述べたが、本発明はこれに限らず、縮小することなく本来の大きさのサイズでなる画像を貼り付けるようにしても良い。
【０１６１】
さらに上述の実施の形態においては、縮小画像貼付領域ＭＧＡ１、ＭＧＡ２に対して４個の縮小画像ＭＧを貼り付けるようにした場合について述べたが、本発明はこれに限らず、２個、６個、８個等のその他種々の個数でなる縮小画像ＭＧを貼り付けるようにしても良い。
【０１６２】
さらに上述の実施の形態においては、予めインストールされたアプリケーションプログラムに従い、ルーチンＲＴ１における緯度・経度順インデックス表示処理手順を実行するようにした場合について述べた。
【０１６３】
しかしながら、本発明はこれに限らず、所定の記録媒体からインストールしたアプリケーションプログラムや、インターネットからダウンロードしたアプリケーションプログラム、その他種々のルートによってインストールしたアプリケーションプログラムに従って上述した緯度・経度順インデックス表示処理手順を実行するようにしても良い。
【０１６４】
さらに上述した実施の形態においては、撮像手段としてのＣＣＤカメラ１５、撮影位置取得手段としての位置情報取得部１３、記憶制御手段、撮影場所マーク生成手段及び制御手段としてのＣＰＵ１０により本発明の情報処理装置を構成するようにした場合について述べた。
【０１６５】
しかしながら本発明はこれに限らず、その他種々の構成でなる撮像手段、撮影位置取得手段、記憶制御手段、撮影場所マーク生成手段及び制御手段により本発明の情報処理装置を構成するようにしても良い。
【産業上の利用可能性】
【０１６６】
本発明の情報処理装置、情報処理方法及びプログラムは、例えばデジタルビデオカメラ以外にも、デジタルスチルカメラ、カメラ機能が搭載された携帯電話機、パーソナルコンピュータ、ＰＤＡ(Personal Digital Assistant)、カーナビゲーションシステム等に適用することができる。
【符号の説明】
【０１６７】
１……デジタルビデオカメラ、１０……ＣＰＵ、１１……ＲＯＭ、１２……ＲＡＭ、１３……位置情報取得部、１４……画像信号処理部、１５……ＣＣＤカメラ、１６……操作入力受付部、１７……操作ボタン、１８……表示制御部、１９……ＬＣＤ、２０……記録再生部、２１……記録メディア、２２……ＢＵＳ。
【図１】
2010243907.tif 000003
【図２】
2010243907.tif 000004
【図３】
2010243907.tif 000005
【図４】
2010243907.tif 000006
【図５】
2010243907.tif 000007
【図６】
2010243907.tif 000008
【図７】
2010243907.tif 000009
【図８】
2010243907.tif 000010
【図９】
2010243907.tif 000011
【図１０】
2010243907.tif 000012
【図１１】
2010243907.tif 000013
【図１２】
2010243907.tif 000014
【図１３】
2010243907.tif 000015
【図１４】
2010243907.tif 000016
【図１５】
2010243907.tif 000017
【図１６】
2010243907.tif 000018
【図１７】
2010243907.tif 000019
【図１８】
2010243907.tif 000020
【図１９】
2010243907.tif 000021
【図２０】
2010243907.tif 000022
【図２１】
2010243907.tif 000023
【図２２】
2010243907.tif 000024
【図２３】
2010243907.tif 000025